(57)【要約】【課題】ディスク状記録媒体に対する記録および再生の性能の向上を図る上で有利なディスク装置を提供する。【解決手段】ピックアップ２２が搭載されるスライド部材２４には２つの軸受部２４０２と係合部２４０４が設けられている。メインガイド軸２４０６は２つの軸受部２４０２にスライド可能に挿通されている。サブガイド軸２４０８は係合部２４０４にスライド可能に係合されている。付勢部材３２の第１の板ばね２８は、サブガイド軸２４０８の周面に弾接することにより、係合部２４０４を前記フォーカス方向に向けて付勢する。第２の板ばね３０は、サブガイド軸２４０８の周面に弾接することにより、係合部２４０４をフォーカス方向と直交する方向に向けて付勢する。【選択図】        図１
2005135463.tif 000002
【特許請求の範囲】
【請求項１】
ディスク状記録媒体に対して情報の記録および／または再生を行なうピックアップと、
前記ピックアップが搭載されるスライド部材と、
前記スライド部材を前記光ディスクの半径方向に案内する案内機構と、
これらスライド部材と案内機構を収容するケースとを備え、
前記案内機構は、前記ディスク状記録媒体の半径方向と直交する方向における前記スライド部材の両端のうちの一端に前記ディスク状記録媒体の半径方向に間隔をおいて設けられた２つの軸受部と、前記スライド部材の両端のうちの他端に設けられた係合部と、前記ディスク状記録媒体の半径方向と平行な方向に延在し前記２つの軸受部にスライド可能に挿通されたメインガイド軸と、前記メインガイド軸と平行な方向に延在し前記係合部にスライド可能に係合されたサブガイド軸とを有するディスク装置であって、
前記係合部に、前記サブガイド軸の周面に弾接し前記係合部を前記ディスク状記録媒体の記録面に対して直交する第１方向と、前記記録面に対して平行する第２方向との双方に向けて付勢する付勢部材を設けた、
ことを特徴とするディスク装置。
【請求項２】
前記メインガイド軸とサブガイド軸は前記ディスク状記録媒体の記録面と平行する平面上を延在し、前記ディスク状記録媒体の記録面と直交する方向から見た場合に、前記サブガイド軸の延在方向に沿った前記係合部の位置は、前記メインガイド軸の延在方向に沿った前記２つの軸受部の間の内側に位置していることを特徴とする請求項１記載のディスク装置。
【請求項３】
前記メインガイド軸とサブガイド軸は前記ディスク状記録媒体の記録面と平行する平面上を延在し、前記ディスク状記録媒体の記録面と直交する方向から見た場合に、前記サブガイド軸の延在方向に沿った前記係合部の位置は、前記メインガイド軸の延在方向に沿った前記２つの軸受部の間の外側に位置していることを特徴とする請求項１記載のディスク装置。
【請求項４】
前記メインガイド軸とサブガイド軸は前記ディスク状記録媒体の記録面と平行する平面上を延在し、前記ディスク状記録媒体の記録面と直交する方向から見た場合に、前記サブガイド軸の延在方向に沿った前記係合部の位置と、前記サブガイド軸の延在方向に沿った位置で前記付勢部材が前記サブガイド軸に弾接する位置は、前記メインガイド軸の延在方向に沿った前記２つの軸受部の間の外側に位置していることを特徴とする請求項１記載のディスク装置。
【請求項５】
前記付勢部材は、第１付勢部材と第２付勢部材との２つの部材で構成され、前記第１付勢部材は前記係合部を前記第１方向に付勢するように構成され、前記第２付勢部材は前記係合部を前記第２方向に付勢するように構成されていることを特徴とする請求項１記載のディスク装置。
【請求項６】
前記付勢部材は、単一の付勢部材で構成され、前記付勢部材は前記係合部に対して前記第１方向と第２方向との中間の方向に向けて弾接していることを特徴とする請求項１記載のディスク装置。
【請求項７】
前記ディスク状記録媒体は光ディスク、光磁気ディスクまたは磁気ディスクであることを特徴とする請求項１記載のディスク装置。
【発明の詳細な説明】
【技術分野】
【０００１】
本発明はディスク状記録媒体に対して記録および／または再生を行なうディスク装置に関する。
【背景技術】
【０００２】
ＣＤやＤＶＤなどの光ディスク、ＭＤなどの光磁気ディスク、ＦＤなどの磁気ディスクなどその他のディスク状記録媒体に対して情報の記録および／または再生を行なうディスク装置が提供されている。
例えば光ディスクを用いるディスク装置においては、スピンドルモータの回転軸に取着されたターンテーブル上に光ディスクを装着して回転駆動するとともに、光ピックアップによって光ディスクの記録面に出射光を当てるとともに、前記記録面からの反射光を検出するようになっている。
光ピックアップはスライド部材に搭載されており、該スライド部材は案内機構によって光ディスクの半径方向に案内された状態で半径方向に移動されるように構成されている。そして、光ピックアップを半径方向に移動させつつ、前記記録面に対して情報信号の記録および／または再生を行なうようにしている。
【０００３】
前記案内機構としては、前記半径方向と直交する方向におけるスライド部材の両端にそれぞれ設けられた軸受部および係合部と、前記半径方向と平行な方向に延在し前記軸受部にスライド可能に挿通されたメインガイド軸と、前記メインガイド軸と平行な方向に延在し前記係合部にスライド可能に係合されたサブガイド軸とを有したものが提供されている。
そして、このような案内機構では、スライド部材の移動を円滑に行なわせるため、前記係合部とサブガイド軸の周面との間に若干の隙間が形成されている。
そのため、この隙間分だけスライド部材および光ピックアップがフォーカス方向にがたつき、これにより光ピックアップのフォーカス方向の位置が不安定になって情報の記録および再生の性能低下を招くおそれがある。
このような不具合を解消するため、前記係合部にフォーカス方向でサブガイド軸に圧接する弾性押圧部材を取付け、この弾性押圧部材によって係合部をフォーカス方向に向けて付勢することで、前記がたつきを防止するディスク装置が提案されている（例えば特許文献１参照）。
【特許文献１】特開２００２−１１７６３４号公報
【発明の開示】
【発明が解決しようとする課題】
【０００４】
しかしながらこのような従来装置でも、スライド部材の移動を円滑に行なわせるため、前記軸受部とメインガイド軸の間に隙間が確保されており、この隙間に起因したフォーカス方向と直交する方向のがたつきについては特に考慮されていない。
このため、前記スライド部材がメインガイド軸に沿って移動しある位置で停止した瞬間、前記隙間分だけスライド部材がフォーカス方向と直交する平面内で揺動し、これにより光ピックアップのトラッキング方向（光ディスクの半径方向）の位置が不安定になって情報の記録および再生の性能の向上を図る上で不利となる。
特に近年の光ディスクの記録密度の高密度化に伴い、光ディスクの記録面に形成される光スポットの径はより小さくなる傾向にあり、光ピックアップのフォーカス方向のがたつきおよびトラッキング方向のがたつきの双方が情報の記録および再生の性能に及ぼす影響がより大きくなってきている。
また、ディスク装置がノート型パーソナルコンピュータや撮像装置などのポータブル機器に組み込まれた場合、ディスク装置の姿勢や動きによって光ピックアップには種々の方向からの力が作用するため、光ピックアップのフォーカス方向のがたつきおよびトラッキング方向のがたつきがあると、情報の記録および再生の性能の向上を図る上で不利となる。
本発明はこのような事情に鑑みなされたものであり、本発明の目的はピックアップのフォーカス方向およびトラッキング方向の双方のがたつきを防止でき、ディスク状記録媒体に対する記録および再生の性能の向上を図る上で有利なディスク装置を提供することにある。
【課題を解決するための手段】
【０００５】
上述の目的を達成するため、本発明のディスク装置は、ディスク状記録媒体に対して情報の記録および／または再生を行なうピックアップと、前記ピックアップが搭載されるスライド部材と、前記スライド部材を前記光ディスクの半径方向に案内する案内機構と、これらスライド部材と案内機構を収容するケースとを備え、前記案内機構は、前記ディスク状記録媒体の半径方向と直交する方向における前記スライド部材の両端のうちの一端に前記ディスク状記録媒体の半径方向に間隔をおいて設けられた２つの軸受部と、前記スライド部材の両端のうちの他端に設けられた係合部と、前記ディスク状記録媒体の半径方向と平行な方向に延在し前記２つの軸受部にスライド可能に挿通されたメインガイド軸と、前記メインガイド軸と平行な方向に延在し前記係合部にスライド可能に係合されたサブガイド軸とを有するディスク装置であって、前記係合部に、前記サブガイド軸の周面に弾接し前記係合部を前記ディスク状記録媒体の記録面に対して直交する第１方向と、前記記録面に対して平行する第２方向との双方に向けて付勢する付勢部材を設けたことを特徴とする。
【発明の効果】
【０００６】
そのため、本発明によれば、付勢部材は、サブガイド軸の周面に弾接することにより係合部をディスク状記録媒体の記録面に対して直交する第１方向と、前記記録面に対して平行する第２方向との双方に向けて付勢するので、係合部とサブガイド軸の間で第１方向のがたつきが無い状態とされ、かつ、係合部および軸受部は、メインガイド軸に向けて押圧され該軸受部とメインガイド軸の間で第２方向のがたつきが無い状態とされ、ピックアップは、第１、第２方向の双方の位置が安定する。
このため、ピックアップのフォーカス方向およびトラッキング方向の双方のがたつきを防止でき、ディスク状記録媒体に対する記録および再生の性能の向上を図る上で有利となる。
【発明を実施するための最良の形態】
【０００７】
ピックアップのフォーカス方向およびトラッキング方向の双方のがたつきを防止することでディスク状記録媒体に対する記録および再生の性能の向上を図るという目的を、スライド部材の係合部に設けた付勢部材により該係合部をディスク状記録媒体の記録面に対して直交する第１方向と、前記記録面に対して平行する第２方向との双方に向けて付勢することで実現した。
【実施例１】
【０００８】
次に本発明の実施例１について図面を参照して説明する。
図１は実施例１のディスク装置が組み込まれた撮像装置の構成を示す斜視図である。
図１に示すように、撮像装置１０はデジタルカメラでありケース１２を有している。
ケース１２は矩形板状に形成され、その厚さ方向の一方に位置する前面には撮影レンズを保持する鏡筒１４が設けられ、前記前面に対向する後面には不図示の液晶表示器などからなるディスプレイが設けられ、上面にはシャッタボタン１５が設けられている。
ケース１２の左右の側面および後面には、不図示の電源スイッチ、撮影スイッチ、再生スイッチ、モード切り替えスイッチなどを含む操作手段が設けられている。
ケース１２の内部には、不図示の撮像素子、撮像信号処理回路、サーボ回路などが設けられ、該撮像素子は、前記撮影レンズの光路上に配設され、撮影レンズによって結像された被写体像を撮像して撮像信号を生成するように構成され、撮像信号処理回路は前記撮像信号を処理することにより画像情報を生成するように構成され、サーボ回路は後述する光ピックアップ２２から供給されるＲＦ信号、フォーカスエラー信号およびトラッキングエラー信号に基づいて光ピックアップ２２のサーボ制御を行なう。
【０００９】
ケース１２の内部に対して光ディスク２が装脱され、ケース１２の内部には光ディスク２に対して前記画像情報の記録および再生を行なう本発明に係るディスク装置２０が組み込まれている。
図９に示すように、ディスク装置２０は、スピンドルモータ２１、光ピックアップ２２、スライド部材２４、案内機構２６、送り機構２７などを備えている。
スピンドルモータ２１は、その回転軸に設けられたターンテーブル２１０２上に光ディスク２を装着して回転駆動するように構成されており、本実施例では、ターンテーブル２１０２に装着された光ディスク２の記録面がケース１２の前面および後面とほぼ平行した状態となるように配設されている。したがって、ケース１２の上面と下面がそれぞれ鉛直方向上側と下側にそれぞれ位置した状態では、光ディスク２の記録面は鉛直方向とほぼ平行した状態となる。
光ピックアップ２２は、レーザー半導体からなる光源、光源から出射される出射光を光ディスク２の記録面に照射するとともに記録面からの反射光が入射される対物レンズ２２０２、対物レンズ２２０２によって収束された反射光を検出する検出器、前記検出器から供給される検出信号に基づいてＲＦ信号、フォーカスエラー信号、トラッキングエラー信号などを生成し前記サーボ回路に供給する信号処理回路、前記サーボ回路によるサーボ制御によって対物レンズ２２０２をフォーカス方向およびトラッキング方向に動かすアクチュエータなどを含んでいる。
【００１０】
スライド部材２４はピックアップ２２が搭載されるものであり、光ディスク２の半径方向と直交する方向におけるスライド部材２４の両端のうちの一端には、光ディスク２の半径方向に間隔をおいて２つの軸受部２４０２が設けられ、スライド部材２４の両端のうちの他端に係合部２４０４が設けられている。
前記半径方向と直交する方向でスライド部材２４を挟む２箇所には、メインガイド軸２４０６と、サブガイド軸２４０８とが配設されている。
メインガイド軸２４０６は、光ディスク２の半径方向と平行な方向に延在し２つの軸受部２４０２にスライド可能に挿通されている。
スライド部材２４の移動を円滑に行なわせるため、２つの軸受部２４０２とメインガイド軸２４０６の周面との間には隙間が形成されている。
サブガイド軸２４０８は、メインガイド軸２４０６と平行な方向に延在し係合部２４０４にスライド可能に係合されている。
スライド部材２４の移動を円滑に行なわせるため、係合部２４０４とサブガイド軸２４０８の周面との間には隙間が形成されている。
本実施例では、メインガイド軸２４０６とサブガイド軸２４０８は光ディスク２の記録面と平行する平面上を延在しており、メインガイド軸２４０６が鉛直方向上側にサブガイド軸２４０８が鉛直方向下側に配置されている。
したがって、光ピックアップ２２が搭載されたスライド部材２４は、２つの軸受部２４０２がメインガイド軸２４０６に挿通されるとともに、係合部２４０４がサブガイド軸２４０８に係合された状態で、光ディスク２の半径方向に案内される。すなわち、これら２つの軸受部２４０２、係合部２４０４、メインガイド軸２４０６、サブガイド軸２４０８によって、スライド部材２４および光ピックアップ２２を光ディスク２の半径方向に案内する案内機構２６が構成されている。
また、メインガイド軸２４０６はスライド部材２４が高精度に移動できるようにその形状および寸法が高精度に形成されているが、サブガイド軸２４０８は係合部２４０４が係合することでスライド部材２４がメインガイド軸２４０６を中心にして回転することを防止する作用を果たすものであり、メインガイド軸２４０６に比較して形状や寸法の精度はさほど要求されていない。
送り機構２７は、不図示の送りモータによって回転駆動されるギア２７０１によって回転される送りねじ２７０２と、送りねじ２７０２に螺合しスライド部材２４に一体的に設けられた雌ねじ部材２７０４とで構成され、送りねじ２７０２が正逆方向に回転されることで雌ねじ部材２７０４およびスライド部材２４が動かされ上述した案内機構２６によってスライドされるように構成されている。なお、送り機構２７は本実施例の構成に限定されるものではなく従来公知の種々の構造によって実現可能である。
【００１１】
次に、案内機構２６について詳細に説明する。
図２は案内機構２６の要部の構成を示す斜視図、図３は図２のＡ矢視図、図４は案内機構２６の平面図である。
図１、図２に示すように、係合部２４０４は、サブガイド軸２４０８の軸方向から見てコ字状に形成された凹溝２４０４Ａを有し、該凹溝２４０４Ａは、光ディスク２の厚さ方向（フォーカス方向）でサブガイド軸２４０８の周面を挟む２つの当接壁２４０４Ｂとこれら２つの当接壁２４０４Ｂを接続する連結壁２４０４Ｃとで構成されている。
スライド部材２４の移動を円滑に行なわせるための前記隙間は２つの当接壁２４０４Ｂとサブガイド軸２４０８の周面との間に形成されている。
係合部２４０４には第１の板ばね２８（第１付勢部材）および第２の板ばね３０（第２付勢部材）からなる付勢部材３２が設けられている。
【００１２】
図２、図３に示すように、付勢部材３２は、２つの当接壁２４０４Ｂのうちの一方の当接壁２４０４Ｂに取着される基板部３２０２を有し、第１の板ばね２８は、基板部３２０２から延在しその先端がサブガイド軸２４０８の周面のうち、前記フォーカス方向の一方に位置する部分に弾接するように形成されている。したがって、第１の板ばね２８は、サブガイド軸２４０８の周面に弾接することにより、係合部２４０４を前記フォーカス方向（光ディスク２の記録面に対して直交する第１方向）に向けて付勢する。
第２の板ばね３０は、基板部３２０２から延在しその先端がサブガイド軸２４０８の周面のうち、前記フォーカス方向と直交する方向の一方に位置する部分に弾接するように形成されている。したがって、第２の板ばね３０は、サブガイド軸２４０８の周面に弾接することにより、係合部２４０４を前記フォーカス方向と直交する方向（光ディスク２の記録面に対して平行する第２方向）に向けて付勢する。
【００１３】
したがって、第１の板ばね２８により、係合部２４０４の２つの当接壁２４０４Ｂのうち第１の板ばね２８が設けられている方の当接壁２４０４Ｂはサブガイド軸２４０８の周面に向けて押圧され該当接面２４０４Ｂとサブガイド軸２４０８の間で前記フォーカス方向のがたつきが無い状態とされる。
また、第２の板ばね３０により、係合部２４０４および２つの軸受部２４０２は、メインガイド軸２４０６の周面に向けて押圧され該軸受部２４０２とメインガイド軸２４０６の間で光ディスク２の記録面と平行方向でのがたつきが無い状態とされる。なお、本実施例では、図４に示すように、光ディスク２の記録面と直交する方向から見た場合に、係合部２４０４の位置は、メインガイド軸２４０６の延在方向に沿った２つの軸受部２４０２の間の内側に位置しており、第２の板ばね３０がサブガイド軸２４０８に弾接する位置は、メインガイド軸２４０６の延在方向に沿った２つの軸受部２４０２の位置の間の内側で、かつ、メインガイド軸２４０６に面した位置であるので、２つの軸受部２４０２は、サブガイド軸２４０８に近い側の箇所がメインガイド軸２４０６に接触することになる。
なお、第１、第２の板ばね２８、３０の付勢力は、各板ばねを構成する部材の厚さ方向の寸法、長さ方向の寸法、幅方向の寸法、板ばねがサブガイド軸２４０８の周面に当たる角度などで適宜調整することができる。
【００１４】
次に、このように構成されたディスク装置２０の作用効果について説明する。
図１に示すように、前記ターンテーブルに光ディスク２が装着され該光ディスク２がスピンドルモータによって回転駆動された状態で、光ピックアップ２２から光ディスク２に対して出射光が照射された状態で記録または再生がなされる。
記録時または再生時には、前記送り機構によってスライド部材２４がトラッキング方向に移動され記録または再生すべき位置で停止されるが、当接面２４０４Ｂとサブガイド軸２４０８の間で前記フォーカス方向のがたつきが無い状態とされ、かつ、軸受部２４０２とメインガイド軸２４０６の間で光ディスク２の記録面と平行な面内でのがたつきが無い状態とされているので、光ピックアップ２２は、フォーカス方向およびトラッキング方向の双方の位置が安定する。
このため、光ディスクの記録密度の高密度化に伴い、光ディスクの記録面に形成される光スポットの径はより小さくなっても、光ピックアップのフォーカス方向のがたつきおよびトラッキング方向のがたつきの双方を確実に抑制することができるので、情報の記録および再生の性能、例えばＲＦ信号のジッターなどの向上を図る上で有利となる。
また、撮像装置１０が持ち運ばれ光ピックアップ２２に種々の方向からの力が作用したとしても、光ピックアップのフォーカス方向のがたつきおよびトラッキング方向のがたつきの双方を確実に抑制することができるので、情報の記録および再生の性能の向上を図る上で有利となる。
【００１５】
次に本発明の実施例１の変形例について図面を参照して説明する。
変形例が実施例１と異なるのは、係合部２４０４の位置と該第２の板ばね３０がサブガイド軸２４０８に弾接する位置である。なお、以下の変形例の説明について、第１のばね部材２８は前記実施例１と同様であるため省略し、また、図５、図６においても省略している。
図５（Ａ）、（Ｂ）に示す変形例では、光ディスク２の記録面と直交する方向から見た場合に、係合部２４０４の位置は、メインガイド軸２４０６の延在方向に沿った２つの軸受部２４０２の間の外側に位置している。また、第２の板ばね３０がサブガイド軸２４０８に弾接する位置は、メインガイド軸２４０６の延在方向に沿った２つの軸受部２４０２の間の外側の位置で、かつ、メインガイド軸２４０６に面した位置である。
したがって、第２の板ばね３０により、係合部２４０４および２つの軸受部２４０２がメインガイド軸２４０６の周面に向けて押圧されることによって、２つの軸受部２４０２のうち係合部２４０４に近い方の軸受部２４０２はサブガイド軸２４０８に近い側の箇所がメインガイド軸２４０６に接触し、２つの軸受部２４０２のうち係合部２４０４から遠い方の軸受部２４０２はサブガイド軸２４０８に遠い側の箇所がメインガイド軸２４０６に接触している。
【００１６】
図６（Ａ）、（Ｂ）に示す変形例では、光ディスク２の記録面と直交する方向から見た場合に、係合部２４０４の位置は、メインガイド軸２４０６の延在方向に沿った２つの軸受部２４０２の間の外側に位置している。また、第２の板ばね３０がサブガイド軸２４０８に弾接する位置は、メインガイド軸２４０６の延在方向に沿った２つの軸受部２４０２の間の外側の位置で、かつ、メインガイド軸２４０６の反対側に面した位置である。
したがって、第２の板ばね３０により、係合部２４０４および２つの軸受部２４０２がメインガイド軸２４０６の周面に向けて押圧されることによって、２つの軸受部２４０２のうち係合部２４０４に近い方の軸受部２４０２はサブガイド軸２４０８に遠い側の箇所がメインガイド軸２４０６に接触し、２つの軸受部２４０２のうち係合部２４０４から遠い方の軸受部２４０２はサブガイド軸２４０８に近い側の箇所がメインガイド軸２４０６に接触している。
【００１７】
図５、図６の何れの場合も、２つの軸受部２４０２の一方はサブガイド軸２４０８に近い側の箇所がメインガイド軸２４０６に接触し、かつ、２つの軸受部２４０２の他方はサブガイド軸２４０８に遠い側の箇所がメインガイド軸２４０６に接触する。これにより、軸受部２４０２とメインガイド軸２４０６の間で光ディスク２の記録面と平行方向におけるがたつきが無い状態とされ、実施例１と同様の作用効果を得ることができる。
また、係合部２４０４の位置と第２のばね部材３０がサブガイド軸２４０８に弾接する位置がメインガイド軸２４０６の延在方向に沿った２つの軸受部２４０２の間の外側に位置するように構成したので、第２の板ばね３０の付勢力がそれほど大きくなくても、２つの軸受部２４０２をそれぞれメインガイド軸２４０６に接触させるために必要な回転モーメントを得ることができ、第２のばね部材３０の小型化やコスト低減を図る上で有利となる。
【実施例２】
【００１８】
次に実施例２について説明する。
実施例２が実施例１と異なる点は、付勢部材３２が単一の板ばね３１で構成されている点である。
図７は実施例２における案内機構２６の要部の構成を示す斜視図、図８は図７のＡ矢視図である。以下では実施例１と同一または同様の部分には同一の符号を付してその説明を省略する。
図７に示すように、付勢部材３２は、連結壁２４０４Ｃに取着される基板部３２０２を有し、板ばね３１は、基板部３２０２から延在しその先端がサブガイド軸２４０８の周面のうち、前記フォーカス方向の一方に位置する部分と、前記フォーカス方向と直交する方向の一方に位置する部分との中間の位置に弾接するように形成されている。言い換えると、図８に示すように、板ばね３１は、係合部２４０４を前記フォーカス方向（光ディスク２の記録面に対して直交する第１方向）と前記フォーカス方向と直交する方向（光ディスク２の記録面に対して平行する第２方向）との中間の方向に向けて付勢し、これにより、係合部２４０４を前記フォーカス方向（光ディスク２の記録面に対して直交する第１方向）と前記フォーカス方向と直交する方向（光ディスク２の記録面に対して平行する第２方向）との双方に付勢することになる。
板ばね３１の付勢力が作用する方向で、フォーカス方向（光ディスク２の記録面に対して直交する第１方向）に対する傾斜角度θは、板ばね３１によって生じる付勢力のうちフォーカス方向（第１方向）に作用させる力と、該フォーカス方向と直交する方向（第２方向）に作用させる力との配分に応じて適宜設定すればよい。例えば、第１、第２方向の力を同一とするならば傾斜角度θは４５度に設定する。第１方向の力を第２方向の力よりも大とするならば、傾斜角度θは０度よりも大きく４５度よりも小さい範囲に設定する。第２方向の力を第１方向の力よりも大とするならば、傾斜角度θは４５度よりも大きく９０度よりも小さい範囲に設定する。
なお、板ばね３１が弾接するサブガイド軸２４０８の周面の周方向の位置は、係合部２４０４を第１方向および第２方向の双方に向けて付勢できる位置であればよい。
【００１９】
したがって、板ばね３１により、係合部２４０４の２つの当接壁２４０４Ｂのうち一方の当接壁２４０４Ｂはサブガイド軸２４０８の周面に向けて押圧され該当接面２４０４Ｂとサブガイド軸２４０８の間で前記フォーカス方向のがたつきが無い状態とされるとともに、係合部２４０４および２つの軸受部２４０２は、メインガイド軸２４０６の周面に向けて押圧され該軸受部２４０２とメインガイド軸２４０６の間で光ディスク２の記録面と平行方向でのがたつきが無い状態とされる。
なお、本実施例でも、光ディスク２の記録面と直交する方向から見た場合に、係合部２４０４の位置は、メインガイド軸２４０６の延在方向に沿った２つの軸受部２４０２の間の内側に位置しており、板ばね３１がサブガイド軸２４０８に弾接する位置は、メインガイド軸２４０６の延在方向に沿った２つの軸受部２４０２の位置の間の内側で、かつ、メインガイド軸２４０６に面した位置であるので、図４と同様に、２つの軸受部２４０２は、サブガイド軸２４０８に近い側の箇所がメインガイド軸２４０６に接触することになる。
【００２０】
このように構成された実施例２においても、係合部２４０４の当接面２４０４Ｂとサブガイド軸２４０８の間で前記フォーカス方向のがたつきが無い状態とされ、かつ、軸受部２４０２とメインガイド軸２４０６の間で光ディスク２の記録面と平行な面内でのがたつきが無い状態とされているので、光ピックアップ２２は、フォーカス方向およびトラッキング方向の双方の位置が安定する。したがって、実施例１と同様に情報の記録および再生の性能の向上を図る上で有利となる。
また、実施例２では、付勢部材３２が単一の板ばね３１で構成できるので、部品点数を削減することができ、小型化や低コスト化を図る上でも有利となる。
なお、各実施例では、付勢部材３２を板ばねによって構成したが、付勢部材３２はコイルばねなど板ばね以外の部材で構成してもよいことは無論である。
【００２１】
次に、付勢部材３２がサブガイド軸２４０８の周面への弾接する際の付勢力の前記第１方向および第２方向への配分について説明する。
光ピックアップ２２の対物レンズ２２０２をフォーカス方向およびトラッキング方向に動かすアクチュエータにおいては、フォーカス方向へ対物レンズ２２０２を移動させる力とトラッキング方向に対物レンズ２２０２を動かす力とが同一ではなく異なっている場合が多い。言い換えると、光ピックアップ２２のフォーカス方向のサーボ能力とトラッキング方向のサーボ能力とは同一ではなく異なっている場合が多い。
したがって、フォーカス方向のサーボ能力がトラッキング方向のサーボ能力よりも大であれば、スライド部材２４のがたつきのうち、フォーカス方向のがたつきよりも、フォーカス方向と直交する方向のがたつきを防止することが好ましく、具体的には付勢部材３２の付勢力として該フォーカス方向と直交する方向（第２方向）の付勢力をフォーカス方向（第１方向）付勢力よりも大きく設定することが好ましい。
また、これとは逆に、フォーカス方向のサーボ能力がトラッキング方向のサーボ能力よりも小であれば、スライド部材２４のがたつきのうち、フォーカス方向と直交する方向のがたつきよりも、フォーカス方向のがたつきを防止することが好ましく、具体的には付勢部材３２の付勢力としてフォーカス方向の付勢力を該フォーカス方向と直交する方向の付勢力よりも大きく設定することが好ましい。
【００２２】
また、光ピックアップ２２がどのような姿勢で動作されるかによっても、付勢部材３２がサブガイド軸２４０８の周面への弾接する際の付勢力の配分が異なってくる。
例えば、光ディスク２の記録面が鉛直方向と平行に延在している場合、つまり、光ピックアップ２２のフォーカス方向が鉛直方向と一致していれば、光ピックアップ２２とスライド部材２４は、それらの自重がフォーカス方向でメインガイド軸２４０６およびサブガイド軸２４０８に掛ることになるため、スライド部材２４とメインガイド軸２４０６およびサブガイド軸２４０８との間のフォーカス方向のがたつきは少なくなる。
したがって、スライド部材２４のがたつきのうち、フォーカス方向のがたつきよりも、フォーカス方向と直交する方向のがたつきを防止することが好ましく、具体的には付勢部材３２の付勢力として該フォーカス方向と直交する方向の付勢力をフォーカス方向の付勢力よりも大きく設定することが好ましい。
これに対して、光ディスク２の記録面が鉛直方向と直交して延在している場合、つまり、光ピックアップ２２のフォーカス方向が鉛直方向と直交し、図１に示すように、スライド部材２４は、２つの軸受部２４０２が上側、係合部２４０４が下側に位置し、スライド部材２４が２つの軸受部２４０２を介してメインガイド軸２４０６からぶら下がった状態では、光ピックアップ２２とスライド部材２４は、それらの自重がフォーカス方向と直交する方向でメインガイド軸２４０６およびサブガイド軸２４０８に掛ることになるため、スライド部材２４とメインガイド軸２４０６およびサブガイド軸２４０８との間のフォーカス方向と直交する方向のがたつきは少なくなる。
したがって、スライド部材２４のがたつきのうち、フォーカス方向と直交する方向のがたつきよりも、フォーカス方向のがたつきを防止することが好ましく、具体的には付勢部材３２の付勢力としてフォーカス方向の付勢力を該フォーカス方向と直交する方向の付勢力よりも大きく設定することが好ましい。
ただし、携帯型の撮像装置などのように装置自体の姿勢が様々な方向に変化されるものは、その姿勢変化に拘わらずスライド部材２４のがたつきを確実に防止できるように付勢部材３２の付勢力の配分および大きさを設定すればよいことはもちろんである。
【００２３】
なお、上述した各実施例では、ディスク装置を撮像装置に組み込んだ例を示したが、本発明のディスク装置はこれに限定されるものではなく、例えばノート型パーソナルコンピュータなどに組み込まれるものであっても、あるいは、ディスク装置単体で使用されるものであってもよいことはいうまでもない。
また、各実施例では、ディスク状記録媒体として光ディスクを用いるディスク装置について示したが、本発明はディスク状記録媒体として光磁気ディスク、磁気ディスクを用いるディスク装置に広く適用可能である。
【図面の簡単な説明】
【００２４】
【図１】実施例１のディスク装置が組み込まれた撮像装置の構成を示す斜視図である。
【図２】案内機構２６の要部の構成を示す斜視図である。
【図３】図２のＡ矢視図である。
【図４】案内機構２６の平面図である。
【図５】実施例１の変形例を示す説明図である。
【図６】実施例１の変形例を示す説明図である。
【図７】実施例２における案内機構２６の要部の構成を示す斜視図である。
【図８】図７のＡ矢視図である。
【図９】実施例１のディスク装置の平面図である。
【符号の説明】
【００２５】
２……光ディスク、１０……撮像装置、１２……ケース、２０……ディスク装置、２２……ピックアップ、２４……スライド部材、２６……案内機構、２４０２……軸受部、２４０４……係合部、２４０６……メインガイド軸、２４０８……サブガイド軸、２８……第１の板ばね、３０……第２の板ばね、３１……板ばね、３２……付勢部材。
【図１】
2005135463.tif 000003
【図２】
2005135463.tif 000004
【図３】
2005135463.tif 000005
【図４】
2005135463.tif 000006
【図５】
2005135463.tif 000007
【図６】
2005135463.tif 000008
【図７】
2005135463.tif 000009
【図８】
2005135463.tif 000010
【図９】
2005135463.tif 000011